(57)【特許請求の範囲】
【請求項１】
患者が看護師を呼び出すナースコール子機と、患者の呼び出しを看護師に報知するナースコール親機とを備え、
前記ナースコール親機に看護情報を表示する第１モニタを設け、該第１モニタが前記看護情報を表示した状態で手書き入力情報を受け付けるタッチパネルを含み、
前記タッチパネルに手書き入力モードを設定するための操作手段と、該操作手段が操作されたときに前記手書き入力情報を含む前記看護情報を記録する記録手段とを備えたことを特徴とするナースコールシステム。
【請求項２】
前記手書き入力情報を含む前記看護情報をシミュレーション情報として前記記録手段に記録させるとともに、オペレータの操作に応答し前記シミュレーション情報を前記記録手段から読み出して前記第１モニタに表示させる制御を行う制御手段を備えた請求項１記載のナースコールシステム。
【請求項３】
前記制御手段は前記シミュレーション情報を日付情報付の画像ファイルとして前記記録手段に保存させ、前記ナースコール親機が所望の画像ファイルをオペレータに選択させるための選択手段を備えた請求項２記載のナースコールシステム。
【請求項４】
前記ナースコール親機は、前記第１モニタに連係して前記看護情報を表示する第２モニタを備え、前記制御手段は、前記操作手段が操作されたときに、前記第１および第２モニタの連係を解除し、前記第１モニタに前記シミュレーション情報を表示させ、前記第２モニタに前記ナースコール子機からの呼び出しを報知するためのナースコール呼出画面を表示させる制御を行う請求項２又は３記載のナースコールシステム。
【請求項５】
前記第１モニタに連係して前記看護情報を表示する第３モニタを備え、前記制御手段は、前記操作手段が操作されたときに、前記第１および第３モニタの連係を解除し、前記第１モニタに前記シミュレーション情報を表示させ、前記第３モニタに前記ナースコール子機からの呼び出しを報知するためのナースコール呼出画面を表示させる制御を行う請求項２，３又は４記載のナースコールシステム。
【発明の詳細な説明】
【技術分野】
【０００１】
本発明は、手書き情報を含む看護情報をモニタに表示させて、看護業務のシミュレーションを行う機能を備えたナースコールシステムに関する。
【背景技術】
【０００２】
病院等では、看護師が入院患者の状況や看護体制を確認したり、看護師と医師または看護師同士で連絡事項を申し送りしたりしている。このとき、従来は、ホワイトボード等を使用し、確認事項や連絡事項をメモ書きし、そのメモをデジカメで撮影して記録として残していた。
【０００３】
特許文献１には、看護情報の確認忘れを防止するために、ナースコール親機のモニタに患者の手術予定、退院予定、注意事項等の確認事項の有無をアイコンで表示させるナースコールシステムが提案されている。
【先行技術文献】
【特許文献】
【０００４】
【特許文献１】特開２００４−３０４５５２号公報
【発明の概要】
【発明が解決しようとする課題】
【０００５】
ところが、従来のシステムによると、入院病室の位置や担当看護師が誰か、勤務時間帯ごとの看護師の状況はどのようになっているのかなど、看護情報が分かりにくく、分かったとしてもその情報をホワイトボードに転記するのに手間がかかった。
【０００６】
特許文献１のナースコールシステムは、アイコンの情報量が少ないうえ、情報入力にキーボードを使用する面倒があった。特に、ベッドの入れ替えなど、複数の看護師に関係する業務シミュレーション情報は、その伝達効率が悪いという問題点があった。
【０００７】
そこで、本発明の目的は、手書き情報を用いて業務シミュレーションを容易に行うことができ、シミュレーション情報を効率よく正確に伝達できるナースコールシステムを提供することにある。
【課題を解決するための手段】
【０００８】
上記課題を解決するために、本発明は次のようなナースコールシステムを提供する。
（１）患者が看護師を呼び出すナースコール子機と、患者の呼び出しを看護師に報知するナースコール親機とを備え、ナースコール親機に看護情報を表示する第１モニタを設け、第１モニタが看護情報を表示した状態で手書き入力情報を受け付けるタッチパネルを含み、タッチパネルに手書き入力モードを設定するための操作手段と、操作手段が操作されたときに手書き入力情報を含む看護情報を記録する記録手段とを備えたことを特徴とするナースコールシステム。
【０００９】
（２）手書き入力情報を含む看護情報をシミュレーション情報として記録手段に記録させるとともに、オペレータの操作に応答してシミュレーション情報を記録手段から読み出して第１モニタに表示させる制御を行う制御手段を備えたことを特徴とする上記（１）に記載のナースコールシステム。
【００１０】
（３）制御手段がシミュレーション情報を日付情報付の画像ファイルとして記録手段に保存させ、ナースコール親機が所望の画像ファイルをオペレータに選択させるための選択手段を備えたことを特徴とする上記（２）に記載のナースコールシステム。
【００１１】
（４）ナースコール親機は、第１モニタに連係して看護情報を表示する第２モニタを備え、制御手段は、操作手段が操作されたときに、第１および第２モニタの連係を解除し、第１モニタにシミュレーション情報を表示させ、第２モニタにナースコール子機からの呼び出しを報知するためのナースコール呼出画面を表示させる制御を行うことを特徴とする上記（２）又は（３）に記載のナースコールシステム。
【００１２】
（５）第１モニタに連係して看護情報を表示する第３モニタを備え、制御手段は、操作手段が操作されたときに、第１および第３モニタの連係を解除し、第１モニタにシミュレーション情報を表示させ、第３モニタにナースコール子機からの呼び出しを報知するためのナースコール呼出画面を表示させる制御を行うことを特徴とする上記（２）〜（４）の何れか一つに記載のナースコールシステム。
【発明の効果】
【００１３】
本発明のナースコールシステムによれば、ナースコール親機の第１モニタにタッチパネルを設け、タッチパネルで入力した手書き情報を看護情報と一緒に記録するように構成したので、手書き情報を用いて業務シミュレーションを容易に行うことができ、そのシミュレーション結果を複数の看護師に効率よく正確に伝達できるという効果がある。
【図面の簡単な説明】
【００１４】
【図１】本発明の一実施形態を示すナースコールシステムの全体図である。
【図２】ナースコール親機の構成を示すブロック図である。
【図３】ナースコール親機の２つのモニタによる連係動作を示すモデル図である。
【図４】第３モニタのナースコール呼出画面を示すモデル図である。
【図５】第１モニタのシミュレーション画面を例示するモデル図である。
【発明を実施するための形態】
【００１５】
以下、本発明の一実施形態を図面に基づいて説明する。図１に示すナースコールシステム１は、患者が病室で看護師を呼び出すためのナースコール子機２、病室前の廊下で患者からの呼び出しを表示する廊下灯３、患者の呼び出しを看護師に報知するためのナースコール親機４、看護師や医師が携帯するスマートフォン５、基地局６を介してスマートフォン５と交信する交換機７、病院のオーダリングシステム（図示略）から患者情報や看護師情報を含む看護情報を取得して蓄積するナースコールサーバ８、ナースコール親機４に付属するサブディスプレイ９、および、ナースコールシステム１の全体を制御する制御機１０から構成されている。
【００１６】
ナースコール親機４は、ナースセンター１２の壁面に設置され、通話用のハンドセット１３と、看護情報を表示する大型の第１モニタ１４と、第１モニタ１４に連係して看護情報を表示する小型の第２モニタ１５とを装備している。サブディスプレイ９は、ナースセンター１２の天井近くに設置された第３モニタであって、看護情報を第１モニタ１４に連係して更に大型の画面に表示できるようになっている。第１モニタ１４および第２モニタ１５にはそれぞれタッチパネル１６，１７（図２参照）が設けられ、第１モニタ１４のタッチパネル１６に手書き入力用のタッチペン１８が付設されている。
【００１７】
図２に示すように、ナースコール親機４の電子制御系には、シミュレーション情報記憶部２１、操作情報処理部２２、通話部２３、モニタ制御部２４、親機ＣＰＵ２５および親機インターフェース２６が設けられている。親機インターフェース２６は、伝送線Ｌ１を介してナースコールサーバ８に接続されるとともに、伝送線Ｌ２を介して制御機１０に接続されている。親機ＣＰＵ２５は、ナースコールサーバ８から受信した看護情報をシミュレーション情報記録部２１に記録させるとともに、モニタ制御部２４を介して第１、第２、第３モニタ１４，１５，９に表示させる。
【００１８】
第１モニタ１４のタッチパネル１６は、第１モニタ１４に看護情報が表示された状態で、タッチペン１８またはオペレータの指先によって入力された手書き情報を受け付け、シミュレーション情報記憶部２１に提供する。また、第１および第２モニタ１４，１５は画面上に看護情報と併せて各種の操作ボタンを表示し、各モニタ１４，１５のタッチパネル１６，１７がオペレータにより操作された情報を操作情報処理部２２を介して親機ＣＰＵ２５に提供する。
【００１９】
第１および第２モニタ１４，１５に表示される操作ボタンには、第１モニタ１４のタッチパネル１６に手書き入力モードを設定するための手書き開始ボタン３１（図３参照）、手書き情報および看護情報を含むシミュレーション情報を記憶部２１に保存するための保存ボタン３０、シミュレーション情報を記憶部２１から読み出すための読出ボタン３２、第１モニタ１４の表示情報をプリンタ２７で印刷するための印刷ボタン３３などが含まれている。そして、親機ＣＰＵ２５は、これらのボタンが操作されたときに、次に述べるような制御を行うようになっている。
【００２０】
図３に示すように、ナースコール子機２からの呼び出しを待ち受けているときには、第１モニタ１４に病棟のレイアウト、ベッド番号、患者名などを示す看護情報表示画面４１が表示され、第２モニタ１５にメニュー画面が表示され、第３モニタ９に第１モニタ１４の看護情報表示画面４１とほぼ同じ内容の待ち受け画面（図示略）が表示される。
【００２１】
ナースコール子機２からの呼び出しが発生すると、第１モニタ１４が、看護情報表示画面４１中に呼出元のベッド番号を強調表示するとともに、そのベッド番号に関連付けられた患者情報を拡大して示すポップアップ表示４２を点滅させる。第２モニタ１５は、第１モニタ１４と連携し、ナースコール子機２からの呼び出しを看護師に知らせるためのナースコール呼出画面４３を表示する。また、図４に示すように、第３モニタ９は、第１モニタ１４と連携し、第１モニタ１４と同じ強調表示およびポップアップ表示４２を含むナースコール呼出画面４４を表示する。
【００２２】
一方、朝の申し送り時などに看護師や医師が手書き開始ボタン３１を操作すると、図５に示すように、第１モニタ１４にシミュレーション表示画面４５が表示される。シミュレーション表示画面４５には、複数の看護情報表示画面のうちから選択してコピー＆ペーストされた看護情報３６、タッチペン１８が使用する手書きツール３７、タッチペン１８の色を選択するパレット３８が用意されている。ここで、オペレータは、タッチペン１８または指先でベッドの入れ替えを指示したり、看護体制の検討結果を記入したりするなどのシミュレーション作業を行うことができる。
【００２３】
シミュレーション作業が終了し、オペレータが保存ボタン３０を押すと、親機ＣＰＵ２５は、手書き情報および看護情報を含むシミュレーション情報をシミュレーション記録部２１に記録させる。また、オペレータが読出ボタン３２を押すと、親機ＣＰＵ２５は、シミュレーション情報を記録部２１から読み出して、第１モニタ１４に表示させる。ここで、シミュレーション情報は日付情報付の画像ファイルとして記録部２１に複数保存されているため、オペレータはページ送りボタン３４を操作して前日、翌日または数日先のシミュレーション情報を選択し、必要な看護情報３６をシミュレーション表示画面４５上に表示させることができる。
【００２４】
また、親機ＣＰＵ２５は、手書き開始ボタン３１が操作されたときに、第１モニタ１４と第２モニタ１５の連係、および、第１モニタ１４と第３モニタ９の連係をそれぞれ解除し、第１モニタ１４にシミュレーション表示画面４５を表示させ、第２および第３モニタ１５，９にナースコール子機２からの呼び出しを報知するためのナースコール呼出画面４３，４４（図４参照）を表示させる制御を行う。このため、シミュレーション作業中にナースコール呼出が発生した場合でも、ナースセンタ１２内の看護師は第２モニタ１５または第３モニタ９の表示に従い、子機２からの呼び出しに速やかに応答することができる。
【００２５】
なお、本発明は、上記実施形態に限定されるものではなく、例えば、３つのモニタ９，１４，１５の看護情報や呼出情報の表示形態を変更したり、第１モニタ１４のタッチパネル１６上の操作ボタン３０〜３３を第２モニタ１５のタッチパネル１７上に表示したりするなど、発明の趣旨を逸脱しない範囲で、各部の構成を適宜変更して実施することも可能である。
【符号の説明】
【００２６】
１    ナースコールシステム
２    ナースコール子機
４    ナースコール親機
９    第３モニタ
１０    制御機
１４    第２モニタ
１５    第３モニタ
１６    第１モニタのタッチパネル
１７    第２モニタのタッチパネル
２１    シミュレーション情報記録部
２５    親機ＣＰＵ
３０    保存ボタン
３１    手書き開始ボタン
３４    ページ送りボタン
４３    第２モニタのナースコール呼出画面
４４    第３モニタのナースコール呼出画面
４５    第１モニタのシミュレーション表示画面
【図１】
0006302808.tif 000002
【図２】
0006302808.tif 000003
【図３】
0006302808.tif 000004
【図４】
0006302808.tif 000005
【図５】
0006302808.tif 000006